(57)【要約】【課題】大きな荷重がかかった場合でも、軒樋が軒樋吊り具から、ずり落ちたり、脱落することがなく、シンプルな構造を持つ軒樋支持構造を提供する。【解決手段】軒樋吊り具Ａに内吊り方式で支持される前耳部４および後耳部２を延設した軒樋Ｂとからなる軒樋支持構造において、上記軒樋Ｂの後耳部２は略逆Ｖ字型に内側に折り曲げられるとともに弾性変形可能とされ、上記軒樋吊り具Ａの後耳受け部１は、基部１０の後側に設けられた上記後耳部２を嵌入する嵌入空間１２と、この基部１０から水平部位１１１を経て斜め上向きに突設され、嵌入後、上記後耳部２を弾性係止する係止片１１とからなる。【選択図】図１
2004197306.tif 000002
【特許請求の範囲】
【請求項１】
軒先の被固定面に取付けられる軒樋吊り具と、この軒樋吊り具に内吊り方式で支持される前耳部および後耳部を延設した軒樋とからなり、上記軒樋吊り具には、上記軒樋の前耳部および後耳部をそれぞれ弾性的に支持する前耳受け部および後耳受け部が設けられた軒樋支持構造において、上記軒樋の後耳部は略逆Ｖ字型に内側に折り曲げられるとともに弾性変形可能とされ、上記軒樋吊り具の後耳受け部は、基部の後側に設けられた上記後耳部を嵌入する嵌入空間と、この基部から水平部位を経て斜め上向きに突設され、嵌入後、上記後耳部を弾性係止する係止片とからなる軒樋支持構造。
【請求項２】
上記軒樋の後耳部の横幅が、上記軒樋吊り具の後耳受け部の嵌入空間入り口幅より大きくされた請求項１に記載の軒樋支持構造。
【請求項３】
上記軒樋には、略逆Ｖ字型に内側に折り曲げた後耳部の端部をさらに内側に折り曲げ、上記係止片の水平部位と面接触する水平縁部が設けられた請求項１に記載の軒樋支持構造。
【請求項４】
さらに上記軒樋の前耳部も略逆Ｖ字型に内側に折り曲げられた請求項１に記載の軒樋支持構造。
【請求項５】
上記軒樋吊り具と軒樋とが塩化ビニル樹脂の成形品である請求項１に記載の軒樋支持構造。
【発明の詳細な説明】
【０００１】
【発明の属する技術分野】
本発明は、建物の軒先に設けられる軒樋支持構造に関する。さらに詳しくは、軒先の被固定面に取付けられる軒樋吊り具に内吊り方式で支持される軒樋の支持構造に関する。
【０００２】
【従来の技術】
従来、軒樋の支持構造に関しては、多くの先行技術が知られている（例えば、特許文献１、特許文献２、特許文献３。）。
【０００３】
【特許文献１】
特開平１１−１３１７２０号公報（第１−３頁、第２図、第３図）
【特許文献２】
特開２００１−９０２７８号公報（第１−４頁、第１図、第２図、第３図）
【特許文献３】
特開平１１−３５０６７７号公報（第１−３頁、第１図、第２図、第５図）
【０００４】
【発明が解決しようとする課題】
上記多数の先行技術のうちで、内吊り方式による代表的な軒樋支持構造の一例を本願図４、図５に示す。本願図４は、建物の軒先に取付けられる公知の軒樋吊り具Ｃおよび軒樋Ｄを示す斜視図であり、本願図５は、上記軒樋吊り具Ｃにより、軒樋Ｄを内吊り方式で支持した軒樋支持構造を示す側断面図である。本願図４、図５からよくわかるように、軒先の被固定面Eに取付けられる軒樋吊り具Ｃの基部５の軒先側には、軒樋Ｄの後耳部６を嵌合する嵌合凹部５２が設けられるとともに、後耳受け片５１が設けられ、この後耳受け片５１によって、後耳部６が支持されている。一方、軒樋Ｄの前耳部８は、軒樋吊り具Ｃの前耳受け片７によって係止されている。
【０００５】
上記形態による軒樋支持構造においては、断面略方形の角筒構造を有する軒樋Ｄの後耳部６は、それ自身の剛性は大きいものの、例えば、積雪等により荷重がかかると、軒樋Ｄ自身が弾性変形するため、後耳部６が、後耳受け片５１からずり落ちるという問題がある。本発明は、このような問題を解決し、たとえ、軒樋に、上記した積雪等による予想外の力が加わった場合でも、軒樋の後耳部が軒樋吊り具の後耳受け部から、ずり落ちたり、脱落することがなく、かつ、シンプルな構造を持つ軒樋支持構造を提供することをその課題とする。
【０００６】
【課題を解決するための手段】
本発明は、上記課題を解決するために考え出されたものであって、つぎのような技術的手段を講じている。すなわち、本発明によれば、軒先の被固定面に取付けられる軒樋吊り具と、この軒樋吊り具に内吊り方式で支持される前耳部および後耳部を延設した軒樋とからなり、上記軒樋吊り具には、上記軒樋の前耳部および後耳部をそれぞれ弾性的に支持する前耳受け部および後耳受け部が設けられた軒樋支持構造において、上記軒樋の後耳部は略逆Ｖ字型に内側に折り曲げられるとともに弾性変形可能とされ、上記軒樋吊り具の後耳受け部は、基部の後側に設けられた上記後耳部を嵌入する嵌入空間と、この基部から水平部位を経て斜め上向きに突設され、嵌入後、上記後耳部を弾性係止する係止片とからなる軒樋支持構造が提供される。上記のように構成することにより、軒樋に、大きな荷重がかかった場合でも、軒樋の後耳部が軒樋吊り具の後耳受け部から、ずり落ちたり、脱落することがなく、かつ、シンプルな構造を持つ軒樋支持構造を得ることができる。
【０００７】
上記軒樋の後耳部の横幅が、上記軒樋吊り具の後耳受け部の嵌入空間入り口幅より大きくされることが好ましい。このようにすることによって、たとえ、後耳部の横幅が後耳受け部の嵌入空間入り口幅より大きくても弾性変形して入り口を通過し、通過後は、軒樋の後耳部は上記嵌入空間内で弾性復帰して、軒樋吊り具の後耳受け部によってしっかりと係止され、吊下げられる。
【０００８】
上記軒樋には、略逆Ｖ字型に内側に折り曲げた後耳部の端部をさらに内側に折り曲げ、上記係止片の水平部位と面接触する水平縁部が設けられることが好ましい。このようにすることにより、上記軒樋が、軒樋吊り具の係止片上を、その長手方向にスムースにスライドできるため、取付け作業が容易となる。
【０００９】
上記軒樋は、さらに、上記軒樋の前耳部も略逆Ｖ字型に内側に折り曲げられることが好ましい。このようにすることによって、上記軒樋の後耳部および前耳部も略逆Ｖ字型に内側に折り曲げて構成され、シンプルなデザインを持つとともに、軒樋が軒樋吊り具からしっかりと吊下げられ、簡単には外れることがないという効果を得ることができる。
【００１０】
上記軒樋吊り具と軒樋とが塩化ビニル樹脂の成形品とされることが好ましい。塩化ビニル樹脂は成形加工が容易であり、かつ、弾性に富んでいるため、軒樋吊り具の後耳受け部と前耳受け部とが、軒樋の後耳部と前耳部とをしっかりと弾性的に吊下げ、支持することができる。
【００１１】
【発明の実施の形態】
以下、本発明にかかる軒樋支持構造の好ましい実施の形態について、図面を参照してさらに詳細に説明する。図１に、軒先の被固定面Ｅに取付けられた塩化ビニル樹脂成形品の軒樋吊り具Ａの部分側面図、およびそれによって支持される同樹脂成形品の軒樋Ｂの部分側断面図を示す。図１に示すように、軒樋Ｂの後側には、逆Ｖ字型に内側に折り曲げられ、水平縁部２１を有する後耳部２が延設されている。この後耳部２は、軒樋吊り具Ａの基部１０から水平部位１１１を経て斜め上向きに突き出す係止片１１と、上記後耳部2を嵌入する嵌入空間１２とからなる後耳受け部１によって弾性的に係止され、吊下げられる。このとき、図１からよくわかるように、軒樋Ｂの後耳部２の横幅ｄは、後耳受け部１の嵌入空間１２の入り口幅ｗより大きく（ｄ＞ｗ）されている。
【００１２】
軒樋吊り具Ａの後耳受け部１と軒樋Ｂの後耳部２とは、上記のように構成され、かつ、両者とも弾性樹脂の成形品であるため、後耳部２の横幅ｄが後耳受け部１の嵌入空間１２の入り口幅ｗより大きくても、後耳部２は弾性変形して入り口を通過する。通過後は、軒樋Ｂの後耳部２は嵌入空間１２内で弾性復帰して、図２に示すように、軒樋吊り具Ａの後耳受け部１によってしっかりと弾性的に係止され、かくして、軒樋Ｂは、軒樋吊り具Ａによって吊下げ、支持される。
【００１３】
図３は、上記軒樋Ｂの後耳部２のみならず前耳部４も略逆Ｖ字型に内側に折り曲げられた形態を示す。図３からよくわかるように、軒樋吊り具Ａの前耳受け部３は、上記前耳部４の嵌入空間に嵌入され、しっかりと軒樋Ｂを支持する。このように、軒樋Ｂの後耳部２および前耳部４も略逆Ｖ字型に内側に折り曲げて構成することにより、シンプルなデザインを持つとともに、構造的に軒樋Ｂが、軒樋吊り具Ａから簡単には外れることのない軒樋支持構造を得ることができる。
【００１４】
【発明の効果】
以上述べたように、請求項１に記載の発明は、軒先の被固定面Ｅに取付けられる軒樋吊り具Ａと、この軒樋吊り具Ａに内吊り方式で支持される前耳部４および後耳部２を延設した軒樋Ｂとからなり、上記軒樋吊り具Ａには、上記軒樋Ｂの前耳部４および後耳部２をそれぞれ弾性的に支持する前耳受け部３および後耳受け部１が設けられた軒樋支持構造において、上記軒樋Ｂの後耳部２は略逆Ｖ字型に内側に折り曲げられるとともに弾性変形可能とされ、上記軒樋吊り具Ａの後耳受け部１は、基部１０の後側に設けられた上記後耳部２を嵌入する嵌入空間１２と、この基部１０から水平部位１１１を経て斜め上向きに突設され、嵌入後、上記後耳部２を弾性係止する係止片１１とからなる軒樋支持構造である。上記のように構成することにより、軒樋Ｂに、大きな荷重がかかった場合でも、軒樋Ｂの後耳部２が軒樋吊り具Ａの後耳受け部１から、ずり落ちたり、脱落することがなく、かつ、シンプルな構造を持つ軒樋支持構造を得ることができる。
【００１５】
請求項２に記載の発明は、上記軒樋Ｂの後耳部２の横幅が、上記軒樋吊り具の後耳受け部１の嵌入空間１２入り口幅より大きくされる。このようにすることによって、請求項１に記載の発明の効果に加えて、たとえ、後耳部２の横幅が後耳受け部１の嵌入空間１２入り口幅より大きくても弾性変形して入り口を通過し、通過後は、軒樋Ｂの後耳部２は上記嵌入空間１２内で弾性復帰して、軒樋吊り具Ａの後耳受け部１によってしっかりと係止され、吊下げられる。
【００１６】
請求項３に記載の発明は、上記軒樋Ｂには、略逆Ｖ字型に内側に折り曲げた後耳部２の端部をさらに内側に折り曲げ、上記係止片１１の水平部位１１１と面接触する水平縁部２１が設けられる。このようにすることによって、請求項１に記載の発明の効果に加え、上記軒樋Ｂが、軒樋吊り具Ａの係止片１１上を、その長手方向にスムースにスライドできるため、取付け作業が容易となる。
【００１７】
請求項４に記載の発明は、さらに上記軒樋Ｂの前耳部４も略逆Ｖ字型に内側に折り曲げられる。このようにすることによって、請求項１に記載の発明の効果に加え、上記軒樋Ｂの後耳部２および前耳部４も略逆Ｖ字型に内側に折り曲げて構成され、シンプルなデザインを持つとともに、軒樋Ｂが軒樋吊り具Ａからしっかりと吊下げられ、簡単には外れることがないという効果を得ることができる。
【００１８】
請求項５に記載の発明は、上記軒樋吊り具Ａと軒樋Ｂとが塩化ビニル樹脂の成形品とされる。このようにすることによって、請求項１に記載の発明の効果に加え、塩化ビニル樹脂が成形加工が容易であり、かつ、弾性に富んでいるため、軒樋吊り具Ａの後耳受け部１と前耳受け部３とが、軒樋Ｂの後耳部２と前耳部４とをしっかりと弾性的に吊下げ、支持することができる。
【図面の簡単な説明】
【図１】本発明にかかる軒樋吊り具の部分側面図および軒樋の部分側断面図である。
【図２】本発明の一実施形態を示す部分側面図および部分側断面図である。
【図３】本発明の他の実施形態を示す側面図および側断面図である。
【図４】公知の軒樋吊り具および軒樋を示す斜視図である。
【図５】公知の軒樋支持構造を示す側面図および側断面図である。
【符号の説明】
１          後耳受け部
１０        基部
１１        係止片
１１１      水平部位
１２        嵌入空間
２          後耳部
２１        水平縁部
３          前耳受け部
４          前耳部
５          公知の軒樋吊り具における基部
５１        後耳受け片
５２        嵌合凹部
６          公知の軒樋における後耳部
７          公知の軒樋吊り具における前耳受け片
８          公知の軒樋における前耳部
Ａ          本発明にかかる軒樋吊り具
Ｂ          本発明にかかる軒樋
Ｃ          公知の軒樋吊り具
Ｄ          公知の軒樋
Ｅ          軒先の被固定面
【図１】
2004197306.tif 000003
【図２】
2004197306.tif 000004
【図３】
2004197306.tif 000005
【図４】
2004197306.tif 000006
【図５】
2004197306.tif 000007